(57)【要約】【課題】作業員が一人で台座の移動・組立てを可能とするものであり、不測の事故が発生することのないようにする。【解決手段】中間部を軸止めして交差角度を可変とした水平なX状の開閉桟５に四本の脚部１固定し、開閉桟５を開閉することによって脚部１同士が近接離隔可能とする。脚部１の上に載せた二枚の床部７に突設した回動ブラケット８の先端部同士を回転可能に軸止めし、開閉桟５に垂下した固定ブラケット１１との間にステー１２を介在させる。開閉桟５を開閉してステー１２を左右に引張り、回動ブラケットを下方に引き下げ、床部７を水平にする。【選択図】図１
2010138589.tif 000002
【特許請求の範囲】
【請求項１】
脚部と、当該脚部の上に載る床部とからなる作業台座であって、
二本の桟の中間部を軸止めして交差角度を可変とした水平なX字状の開閉桟を配し、
前記開閉桟の端部に固定した垂直な四本の脚部を、前記開閉桟の交差角度を変えることによって異なる桟に固定した脚部同士が近接離隔可能とし、
前記した四本の脚部と最上段の開閉桟の上には二枚の床部を位置させ、
二枚の床部の各一辺には、それぞれその平面に対して交差する方向に突出する回動ブラケットを突設して、当該二枚の床部に突設した回動ブラケットの先端部同士を回転可能に軸止めし、
前記した開閉桟のうち、最上段に位置する開閉桟には、中間部の軸止めから適宜間隔離隔した位置にて下方に向って垂下する固定ブラケットを突設し、
前記した回動ブラケットの軸止め部と、前記固定ブラケットの下端部との間にはそれぞれステーを介在させて、各ステーの両端部をそれぞれ回転可能に軸止めし、
開閉桟の交差角度を変え、異なる桟に固定した脚部を離隔させたとき、異なる桟に固定した固定ブラケット同士が離隔して、それらに軸止めしたステーを左右に引張ることによって、それらステーの他方の端部に軸止めした回動ブラケットの軸止め側の端部を下方に引き下げ、それと同時に回動ブラケットが固定された床部の回動ブラケットが突設されていない側が持ち上がり、当該床部の平面が水平となる作業台座。
【請求項２】
前記した回動ブラケットの少なくとも一方側の側縁が、床部の平面に対して鈍角を成して交差するようにし、
開閉桟の異なる桟に固定した脚部を近接させたとき、先端部同士を軸止めした二つの回動ブラケットの前記側縁が下縁側に位置し、
回動ブラケット同士の軸止めが、回動ブラケットの前記側縁の開閉桟との接触部分よりも上方に位置していることを特徴とする請求項１記載の作業台座。
【請求項３】
前記したステーは中間部が屈曲したＬ字形を成しており、
異なる桟の固定ブラケット側に軸止めする二本のステーの各端部が、回動ブラケットへの軸止め位置よりも左右に離隔していることを特徴とする請求項１又は２記載の作業台座。
【発明の詳細な説明】
【技術分野】
【０００１】
本発明は、建築工事現場などで、作業員が高所の工事などを行うときの足場となる作業台座に関するものであり、収納時には折畳んで小さくすることが可能な作業台座に関するものである。
【背景技術】
【０００２】
建築工事現場などで、作業員が高所の工事を行う場合に使用するための作業台座が使用されている。
このような作業足場は、工事する場所の位置や、高さの異なる場所を工事するために移動可能であって、作業員が乗る床部（ステージ）の高さも変えることが可能であり、収納時は小さくすることが可能なものが望ましい。
【０００３】
このような作業台座として、例えば特開平１１−２５６８１２号公報に記載されているようなものが開発されている。
同公報に記載された発明は、伸縮可能な脚部の上に、中間部にて二分割されたステージが、その左右分割部分が蝶番によって連結されており、折畳むときに蝶番で左右の分割部分を、中間部が下方へ谷折りとなるよう折り畳み、使用時には二つの分割部分をフラットになるよう開いて使用するものである。
ステージを開いたときに、開いた状態を維持するためにピンを使用して固定している。
【０００４】
しかしながら、ステージの中間部が下方へ谷折りとなるよう折畳む構造であって、蝶番によって連結した中間部を脚部が支えていないため、もしピンなどが抜け落ちることがあれば、ステージは一挙に折畳まれてしまう。
もしそのような不測の事態が起ることに作業員が気づかず、作業を続けていたとしたら、大事故を招くこととなる。
【０００５】
また、ステージを開くとき、左右の分割部分をフラットに保った状態で、ピンを差す作業をしなければならない。
その作業が面倒であるとともに、ステージを支える人と、ピンを差す人が必要で、一人で台座の設置、組立てを行うことが出来なかった。
【特許文献１】特開平１１−２５６８１２号公報
【発明の開示】
【発明が解決しようとする課題】
【０００６】
解決しようとする課題は、作業員が一人で台座の移動・組立てを可能とするであり、不測の事故が発生することのないようにするものである。
【課題を解決するための手段】
【０００７】
本発明にかかる作業台座では、四本の脚部を、交差角度を可変とした水平なＸ状の開閉桟を使用し、ヒンジ結合された二枚の床部を開閉桟によって支えるとともに、開閉桟の交差角度を変えることによって、二枚の床部が自動的に折畳んだ状態から水平となるようにして上記の課題を解決するものである。
【発明の効果】
【０００８】
本発明は、上記の手段により以下の効果を得ることが可能である。
〈ａ〉二枚の床部が、脚部と開閉桟の上に位置しているため、床部が不測の事態によって折畳まれることがなく、事故の危険性が小さい。
〈ｂ〉脚部を開くことで、自動的に床部が水平になるため、一人の作業員で台座の設置が可能である。
〈ｃ〉前記した回動ブラケットの少なくとも一方側の側縁が、床部の平面に対して鈍角を成して交差するようにし、開閉桟の異なる桟に固定した脚部を近接させたとき、先端部同士を軸止めした二つの回動ブラケットの前記側縁が下縁側に位置し、回動ブラケット同士の軸止めが、回動ブラケットの前記側縁の開閉桟との接触部分よりも上方に位置しているため、ステーがブラケットを下方へ引き下げるとき、初動の回転モーメントが大きくなり、閉じた床部を一気に開く力となり、一人の力でも床部を容易にフラットにすることができる。
〈ｄ〉ステーは中間部が屈曲したＬ字形を成しており、異なる桟の固定ブラケット側に軸止めする二本のステーの各端部が、回動ブラケットへの軸止め位置よりも左右に離隔しているため、異なる桟に固定した脚部を左右に移動したとき、左右への移動力が直にステーを引張る力となり、小さな力でブラケットを引き下げる力となり、床部を容易に開くことが可能となる。
【発明を実施するための最良の形態】
【０００９】
本発明にかかる作業台座は、脚部と、当該脚部の上に載る床部とからなる。
四本の脚部は、水平な桟の両端に固定するもので、二本の桟の中間部を軸止めして交差角度を可変とした水平なX字状の開閉桟を配する。
開閉桟は、一つに限らず、上下二段以上に配することも可能である。
脚部としては、筒状の主脚の中に伸縮脚を収納して、伸縮脚が主脚に対して摺動可能にして、脚部全体が伸縮可能にしたものが使用可能である。
主脚と伸縮脚は、ピンなどによってその高さを決定する。
脚部の下端にはキャスターやベアリングなどを取付けて、移動可能とする。
前記した開閉桟の端部に固定した垂直な四本の脚部を、前記開閉桟の交差角度を変えることによって、異なる桟に固定した脚部同士が近接離隔可能とする。
つまりは、Ｘ字状の二本の開閉桟が、その交差角度を変えると、その二本の開閉桟のそれぞれ両端に固定された脚部同士が、近づいたり、離れたりする。
前記した四本の脚部と最上段の開閉桟の上には、二枚の床部を位置させる。
二枚の床部の各一辺には、それぞれその平面に対して交差する方向に突出する回動ブラケットを突設して、当該二枚の床部に突設した回動ブラケットの先端部同士を回転可能に軸止めする。
当該回動ブラケットの少なくとも一方側の側縁は、床部の平面に対して鈍角を成して交差するように形成することも出来る。
開閉桟の異なる桟に固定した脚部を近接させたとき、先端部同士を軸止めした二つの回動ブラケットの前記側縁が下縁側に位置する。
回動ブラケット同士の軸止めが、回動ブラケットの前記側縁の開閉桟との接触部分よりも上方に位置することになる。
ステーがブラケットを下方へ引き下げるとき、初動の回転モーメントが大きくなり、閉じた床部を一気に開く力となり、一人の力でも床部を容易にフラットにすることができる。
前記した開閉桟のうち、最上段に位置する開閉桟には、中間部の軸止めから適宜間隔離隔した位置にて、下方に向って垂下する固定ブラケットを突設してある。
前記した回動ブラケットの軸止め部と、前記固定ブラケットの下端部との間にはそれぞれステーを介在させて、各ステーの両端部をそれぞれ回転可能に軸止めする。
ステーは中間部が屈曲したＬ字形に形成することにより、異なる桟の固定ブラケット側に軸止めする二本のステーの各端部が、回動ブラケットへの軸止め位置よりも左右に離隔することとなる。
異なる桟に固定した脚部を左右に移動したとき、左右への移動力が直にステーを引張る力となり、小さな力でブラケットを引き下げる力となり、床部を容易に開くことが可能となる。
開閉桟の交差角度を変え、異なる桟に固定した脚部を離隔させたとき、異なる桟に固定した固定ブラケット同士が離隔して、それらに軸止めしたステーを左右に引張る。
それらステーの他方の端部に軸止めした回動ブラケットの軸止め側の端部を下方に引き下げ、それと同時に回動ブラケットが固定された床部の回動ブラケットが突設されていない側が持ち上がり、当該床部の平面が水平となる。
床部は、四方に離隔した脚部によって、その四隅を支えられることになる。
【実施例１】
【００１０】
図において、１は脚部であって、円筒形状のパイプである主脚２の中に、それよりも径の小さなパイプである伸縮脚３が収納されている。
伸縮脚３は、主脚２に対して摺動可能であって、適宜長さ、つまりは脚部３の高さを決定して、主脚２からピンを伸縮脚３の孔に差込むことによって固定する。
脚部１の下端にはキャスター４が取付けられている。
【００１１】
以上のような四本の脚部１を、二本の桟の中間部をピン軸止めしてＸ字状に組んだ水平な開閉桟５の四箇所の端部にそれぞれ固定する。
実施例では、開閉桟５は上下二段に配し、その四つの端部に脚部１を固定して、垂直に立設する。
開閉桟５の二本の桟の交差角度を変えることによって、異なる桟の端部も近くなったり離れたりし、その端部に固定された脚部１も近接離隔する。
【００１２】
異なる桟の端部に固定された脚部１・１間には、開閉桟５の交差角度を固定するための固定桟６が取付けられている。
固定桟６は、その中間部がピン軸止されて屈曲可能であり、真っ直ぐになった状態でロックし、屈曲しないようになっている。
【００１３】
図において７は矩形の枠にエキスパンドメタルなどを張った方形状の床部であって、その方形の一辺に、床部７の平面に対して交差する、つまりは平面に対して垂直に交差する方向に突出する回動ブラケット８が突設してある。
回動ブラケット８は、床部７の方形の一辺の中間点から左右に離隔した位置に、それぞれ取付けてある。
二枚の床部７は、回動ブラケット８の先端同士をピン１０によって連結するのであるが、つまりは床部７は二箇所で、連結されることになる。
実施例では、その回動ブラケット８の一方側の側縁９は、床部７の平面に対して鈍角αに交わるようテーパ状に傾斜している。（図５）
二枚の床部７の回動ブラケット８の先端部同士はピン１０によって軸止めされているが、開閉桟５を閉じたとき、前記した側縁９が回動ブラケット８の下縁側となるようにする。
回動ブラケット８の側縁９は、床部７に対して鈍角を成すため、左右の床部７の回動ブラケット８を軸止めしたピン１０は、ブラケット８と開閉桟５との接触点よりも上方、つまりは高い位置に位置している。
このとき二枚の床部７は、回動ブラケット８側の辺を上にして、ほぼ垂直に垂下している。
【００１４】
上段の開閉桟５には、中間部の軸止めから左右に適宜間隔離隔した位置に、下方に向って垂下する固定ブラケット１１が取付けてある。
つまりは、固定ブラケット１１は、Ｘ字形の開閉桟５の中間部が適宜間隔離れた四箇所に固定されていることになる。
固定ブラケット１１と前記した回動ブラケット８の軸止め部との間には、ステー１２が介在されている。
ステー１２は、固定ブラケット１１の先端部と、回動ブラケット８のピン１０によって回動可能に取付けてある。
実施例ではステー１２は、中間部が屈曲したＬ字形を成しており、開閉桟５を閉じたとき、屈曲したステー１２の一部がほぼ垂直に垂下し、下端部の屈曲した部分が固定ブラケット１１側へ屈曲するように取付けてある。
つまりは二本のステー１２の下端部が、左右反対方向に向くよう屈曲している。
【００１５】
以上のような作業台座の設置作業につき説明する。
作業台座を所望位置に移動させ、開閉桟５の交差角度を開き、脚部１を左右に離隔させる。
この回転と同時に、異なる桟に固定された固定ブラケット１１同士も離隔する。
すると、左右のステー１２も左右に引張られ、このステー１２とピン軸止めされた回動ブラケット８の軸止め部側も下方に引き下げられる。
このとき、ステー１２の下端部は固定ブラケット１１側に向って屈曲しているため、左右への移動力が直にステー１２を引張る力となり、小さな力でブラケット８を引き下げる力となる。
【００１６】
回動ブラケット８のピン１軸止め側が引き下げられると、上段の開閉桟５に載った部分を支点として回転し、床部７の回動ブラケット８を突設した辺と平行な反対側が少しづつ上昇することになる。
前記したように、回動ブラケット８の側縁９が下縁側となっているということは、回動ブラケット８同士の軸止め部が、回動ブラケット８の側縁９と開閉桟５との接触部分よりも上方、つまりは高く位置することになる。
この状態でステー１２によって回動ブラケット８のピン１０軸止め側が引き下げられると、回転モーメントが大きくなって、より大きな力が作用して、床部７の持ち上げを容易にする。
以上のように、開閉桟５に固定した固定ブラケット５は円弧状の軌跡を描いて移動するため、それに引かれるステー１２も、平面から見ると円弧状にカーブして形成されている。（図４）
【００１７】
脚部１が一杯に開くと、固定桟６が真っ直ぐになり、自動的にロックされ、脚部１の開き角度が変るなどということがない。
四本の脚部１は、水平となった二枚の床部７の四隅近傍に位置し、床部７を支える。
【００１８】
脚部１の伸縮脚３を主脚２から引出して高さを調整し、ピンを差して床部７の高さを固定する。
作業台座を収納する場合は、以上の手順を逆に行えばよい。
【図面の簡単な説明】
【００１９】
【図１】本発明にかかる作業台座の斜視図
【図２】作業台座を折畳んだ状態の側面図
【図３】作業台座を設置した状態の側面図
【図４】開閉桟の平面図
【図５】回動ブラケットとステーの側面図
【符号の説明】
【００２０】
１：脚部
２：主脚
３：伸縮脚
４：キャスター
５：開閉桟
６：固定桟
７：床部
８：回動ブラケット
９：側縁
１０：ピン
１１：固定ブラケット
１２：ステー
【図１】
2010138589.tif 000003
【図２】
2010138589.tif 000004
【図３】
2010138589.tif 000005
【図４】
2010138589.tif 000006
【図５】
2010138589.tif 000007